(57)【要約】【課題】  従来の情報表示装置にあっては、梁の前に奥行のある箱状の表示板を取り付ける構造であったため、梁に対して働く大きなモーメントに耐えることができる梁と支柱とを使用しなければならないといった問題があった。【解決手段】  路側に立設された支柱１に対して所望の間隔を隔てて固定された接合用突起を有する上下の梁２，３と、該梁に対して該接合用突起を介して固定された枠状の表示板フレーム５と、該表示板フレーム５に対してＬＥＤ等の表示素子をマトリックス状に配置した表示ユニットを複数個配置した表示部６と、該表示板フレーム５に対して取り付けた保守用の裏面扉７とから構成したものである。【選択図】        図１
2008127977.tif 000002
【特許請求の範囲】
【請求項１】
路側に立設された支柱に対して所望の間隔を隔てて固定された接合用突起を有する上下の梁と、
該梁に対して該接合用突起を介して固定された枠状の表示板フレームと、
該表示板フレームに対してＬＥＤ等の表示素子をマトリックス状に配置した表示ユニットを複数個配置した表示部と、
該表示板フレームに対して取り付けた保守用の裏面扉と、
から構成したことを特徴とする情報表示装置。
【請求項２】
前記表示板フレームに固定され前記表示ユニットの外周部を覆う飾り枠を前記表示板フレームに取付けたことを特徴とする請求項１記載の情報表示装置。
【発明の詳細な説明】
【技術分野】
【０００１】
本発明は、路側に立設された柱に取り付けたＬＥＤ等の表示素子からなる情報表示装置に関する。
【背景技術】
【０００２】
従来における情報表示装置にあっては、特開平１０−２５２０２３号公報、特開２０００−２５０４２９号公報に開示されているように、路側に立設された支柱に対して２本の梁が水平方向に取付けられ、この梁の前面にＬＥＤ等の表示素子を配置した奥行のある箱状の表示板が固定されていた。
【特許文献１】特開平１０−２５２０２３号公報
【特許文献２】特開２０００−２５０４２９号公報
【発明の開示】
【発明が解決しようとする課題】
【０００３】
前記した従来の情報表示装置にあっては、梁の前に奥行のある箱状の表示板を取り付ける構造であったため、梁に対して働く大きなモーメントに耐えることができる梁と支柱とを使用しなければならないといった問題があった。
そのために、サイズと重量が大きくなり製作／運搬／設置が煩雑となるだけでなく、設置した場所の美観を損ねるといった問題があった。
【０００４】
本発明は前記した問題点を解決せんとするもので、その目的とするところは、支柱に対して取付けられる梁に対して梁の間に配置される表示板フレームと、該表示板フレームに取付けられる表示ユニットとから構成したので、構造が簡単でコストの低減を図ることができると共に梁が軽くなることによって設置も容易に行え、かつ、薄型となることでデザイン的にも斬新性がある情報表示装置を提供せんとするにある。
【課題を解決するための手段】
【０００５】
本発明の情報表示装置は前記した目的を達成せんとするもので、請求項１の手段は、路側に立設された支柱に対して所望の間隔を隔てて固定された接合用突起を有する上下の梁と、該梁に対して該接合用突起を介して固定された枠状の表示板フレームと、該表示板フレームに対してＬＥＤ等の表示素子をマトリックス状に配置した表示ユニットを複数個配置した表示部と、該表示板フレームに対して取り付けた保守用の裏面扉とから構成したものである。
【０００６】
請求項２の手段は、請求項１の情報表示装置は、前記表示板フレームに固定され前記表示ユニットの外周部を覆う飾り枠を前記表示板フレームに取付けたことを特徴とする。
【発明の効果】
【０００７】
本発明は前記したように、支柱に取付けられた上下の梁の間に表示板フレームを取付け、該表示板フレームに表示ユニットを取付けたことにより、情報表示装置として厚みが薄く前方に対する捻りモーメントが少なくなることから支柱と梁の部材を軽減でき、製作／運搬／設置が容易になると共に斬新なデザインとなるといった特長がある。
【０００８】
また、表示板フレームと梁とが一体化されたことにより、ＬＥＤ等から表示板内に出た熱を表示板の外周だけでなく表示板フレーム⇒梁（支柱）へと伝搬させて放熱することができるといった効果がある。
【０００９】
また、上下に梁の間に表示板フレームを配置する構造としたことにより、背面に大きな保守用扉を設けることができるため、保守を容易とすると共に、表示板を一層薄型化することができるといった効果がある。
【００１０】
さらに、表示板フレームに固定され前記表示ユニットの外周部を覆う飾り枠を表示板フレームに取付けたことにより、外部から見て綺麗に、かつ、スマートに見えると共に、太陽光による板内の温度上昇を減少させる効果がある。
【発明を実施するための最良の形態】
【００１１】
本発明は、支柱に取付けられた上下の梁に表示板フレームを取付け、該表示板フレームに表示ユニットを取付けたものである。
【実施例】
【００１２】
以下、本発明の情報表示装置の一実施例を図面と共に説明する。
１は路側に立設された支柱にして、上方の２か所には円板状の取付金具とリブとから構成されるフランジ１１が取付けられ、また、支柱１の背面側には梯子１２が取付けられている。２，３は一端に前記支柱１のフランジ１１に円板状の取付金具を介して一体に取付けられる梁側のフランジ２１を備えた一対のパイプ状の梁にして、該梁２と３を結ぶ垂線に対して上部梁２には後傾した状態の接合用突起（固定金具）２２が下面側に形成され、また、下部梁３の上面側には前記垂線に対して前傾した状態の接合用突起（固定金具）３２が形成されている。また、上部梁２の前面側には注意灯４を取付けるための３つの取付金具２３が形成されている。
【００１３】
５は枠状に形成された表示板フレームにして、左右両端の上下には前記接合用突起２２，３２に嵌合される突出部５１が突出して形成されている。また、表示板フレーム５には複数の桟５２（図面では４個）が等間隔に形成されている。さらに、外周枠の両面には多数の飾り枠固定金具５３が形成されている。
【００１４】
６１はＬＥＤ等の表示素子をマトリックス状に配置した表示ユニットにして、背面側には表示素子を点灯駆動するための回路が設けられ、その背面には表示板フレーム５に対して扉７１が開閉自在に取付けられている。そして、各表示ユニット６１は前記表示板フレーム５の桟５２によって区切られた空間に入る大きさに形成されている。
なお、複数の表示ユニット６１によって図１に図示する表示部６が形成されている。
【００１５】
８はカーボンファイバー等の軽量材で形成された飾り枠にして、前記表示板フレーム５の固定金具５３に対してボルト等の手段によって固定される。９は前記下部梁３に対して水平状態で取付けられる足場にして、該足場９には回動自在な手すり９１が取付けられ、修理等の必要があり保守員が足場９に登る時に手すり９１を起立状態とすることで、保守員の安全を確保し、また、通常時には足場９側に倒した状態とすることで美観の向上を図っている。
【００１６】
なお、前記の構成において、表示板とは、表示板フレーム５や表示部６や裏面扉７から構成する板本体を指し、情報表示装置とは、表示板に梁２，３と支柱１を含めた情報提供設備全体を指している。
【００１７】
このように構成した本発明の情報表示装置は、支柱１に取付けられた梁２の接合用突起２２と梁３の接合用突起３２に、表示板フレーム５の突出部５１に挿入されているので、該表示板フレーム５は前方に所望角度（例えば、３°）傾いてボルト等によって取付けられている。従って、表示板フレーム５に取付けられている５個の表示ユニット６１は前方に傾いて取付けられるので、走行車両は情報表示装置に対して比較的近い位置まで表示部６に表示される情報を見ることができる。
【００１８】
また、表示板フレーム５と梁２，３とが接合用突起２２，３２を介して接合される構造であるため表示板内の熱を梁に対して逃がすことが可能である。
なお、図示では、上下各２箇所の接合用突起を用いているが、２箇所以上の接合用突起によって表示板と梁とを接合し放熱効果を高めてもよいし、表示板フレーム５に小孔を設けて表示板内の熱を梁２，３に直接逃がすようにしてもよい。
【００１９】
また、上部梁２には注意灯４が取付けられているので、走行車両のドライバーに対して黄色や赤色の光を点滅することで、表示部６の情報を注意して見せることができる。さらに、表示板フレーム５には飾り枠８が表示板フレーム５に並列して取付けられている表示ユニット６１の外周を覆うと共に表示板フレーム５をも覆うので、美観を損なうことがなく、かつ、情報表示装置を一層薄く見せて斬新性を与えることができる。
また、太陽光を遮断するので、表示板内の温度上昇を抑える効果がある。
【００２０】
また、表示ユニット６１の何れかに故障等の不都合が発生した場合には、支柱１の梯子１１から足場９に登り、かつ、安全性を確保するために手すり９１を起立させた状態で不都合の発生している表示ユニット６１の裏面まで移動し扉７１を開放することで、従来のように奥行の大きな筐体を必要とすることなく、背面側から表示ユニットの保守を行うことができる。
【００２１】
なお、図示した情報表示装置は表示ユニット６１が５個の場合を示しているが、必要とする情報提供の内容に応じた個数の表示ユニットからなる情報表示装置を製作することが可能である。
【００２２】
また、前記した実施例にあっては、３個の注意灯４を上部梁２に取付けたものを示したが、注意灯４は３個に限定されるものではなく、それ以上あるいはそれ以下、または注意灯４を取付けなくともよく、また、図４に示すように「東名高速道路」等の道路名を表示する案内表示板９を前記注意灯４と共に上部梁２に取付けてもよい。  
【図面の簡単な説明】
【００２３】
【図１】本発明に係る情報表示装置を前面から見た斜視図である。
【図２】同上の情報表示装置を背面側から見た斜視図である。
【図３】分解斜視図である。
【図４】上部梁に注意灯と共に案内表示板を取付けた状態の斜視図である。
【符号の説明】
【００２４】
１          支柱
２          上部梁
３          下部梁
４          注意灯
５          表示板フレーム
６          表示部
７          裏面扉
８          飾り枠
９          足場
【図１】
2008127977.tif 000003
【図２】
2008127977.tif 000004
【図３】
2008127977.tif 000005
【図４】
2008127977.tif 000006